(57)【特許請求の範囲】
【請求項１】
スリットガラスに搬送された原稿を前記スリットガラスの下方に固定された画像読取手段によって読み取るようにした画像読取装置であって、
前記画像読取手段が原稿を読み取るときの白基準となるポリエステルフィルムが取付けられた導電性の圧板と、
前記ポリエステルフィルムが前記スリットガラスと一定の隙間を維持して前記スリットガラスに対向するように、前記圧板を前記スリットガラスに向かって押圧する押圧部材とを備え、
前記押圧部材の一端部が前記圧板に取付けられるとともに、他端部が非導電性のフレームに取付けられた画像読取装置において、
前記押圧部材の他端部側に、所定方向に延設される延設部を設けるとともに、該延設部の延設方向先端を、前記フレームの所定箇所に設けられ、接地部に電気的に接続された導電性部材に接続することを特徴とする画像読取装置。
【請求項２】
スリットガラスに搬送された原稿を前記スリットガラスに向かって搬送する画像読取装置であって、
画像読取手段が原稿を読み取るときの白基準となるポリエステルフィルムが取付けられた導電性の圧板と、
前記ポリエステルフィルムが前記スリットガラスと一定の隙間を維持して前記スリットガラスに対向するように、前記圧板を前記スリットガラスに向かって押圧する押圧部材と、
前記スリットガラスの原稿搬送方向上流側で、かつ前記スリットの近傍に設けられ、原稿を検知する原稿検知手段とを備え、
前記押圧部材の一端部が前記圧板に取付けられるとともに、他端部が非導電性のフレームに取付けられた画像読取装置において、
前記押圧部材の他端部側に、所定方向に延設される延設部を設けるとともに、該延設部の延設方向先端を、前記フレームの所定箇所に設けられ、接地部に電気的に接続された導電性部材に接続することを特徴とする画像読取装置。
【請求項３】
前記押圧部材が圧縮スプリングからなることを特徴とする請求項１または２記載の画像読取装置。
【請求項４】
前記押圧部材が板バネからなることを特徴とする請求項１または２記載の画像読取装置。
【請求項５】
前記延設部を前記押圧部材の延在方向と略直交方向に延設させたことを特徴とする請求項１〜４何れかに記載の画像読取装置。
【請求項６】
前記フレームに開口部を設け、前記延設部を前記開口部を通して前記接地部に延設したことを特徴とする請求項５記載の画像読取装置。
【請求項７】
前記延設部を前記押圧部材の延在方向と並行に延設させるとともに、前記フレームに開口部を設け、前記延設部を前記開口部を通して前記接地部に延設したことを特徴とする請求項１〜４何れかに記載の画像読取装置。
【請求項８】
前記接地部が前記導電性部材の上方に位置するとともに、前記延設部の先端が挿通される挿通孔を有し、前記挿通孔と前記フレームの開口部の位置を水平面内でずらしたことを特徴とする請求項７記載の画像読取装置。
【請求項９】
前記延設部は、先端に係合爪を有する圧縮スプリングから構成され、前記係合爪が前記導電性部材に設けられた係合部に係合されることを特徴とする請求項１〜８何れかに記載の画像読取装置。
【請求項１０】
前記導電性部材が、原稿を搬送する搬送ローラを回転自在に支持する取付け板を含んで構成され、前記延設部の先端が前記取付け板に接続されることを特徴とする請求項１〜９何れかに記載の画像読取装置。
【請求項１１】
前記導電性部材が、原稿を搬送する搬送ローラを回転駆動するモータを支持する取付け板を含んで構成され、前記延設部の先端が前記取付け板に接続されることを特徴とする請求項１〜９何れかに記載の画像読取装置。
【発明の詳細な説明】
【０００１】
【発明の属する技術分野】
本発明は、ファクシミリ装置、複写機、プリンター装置等からなる画像読取装置に関し、画像読取部に帯電する静電気を簡単な構成で接地することができる画像読取装置に関する。
【０００２】
【従来の技術】
ファクシミリ装置、複写機、プリンター装置等からなる画像読取装置にあっては、原稿の読取時の白基準となるポリエステルフィルムを備えており、このポリエステルフィルムとスリットガラスの間に原稿を搬送してスリットガラスの下方に設けられたスキャナで原稿を読み取るようになっている。
【０００３】
このポリエステルフィルムは、原稿の搬送スペースおよび読取時の画像の精度を確保するためにスリットガラスと一定の間隔を保持して配設する必要があるため、金属製の圧板に取付けられるとともに圧縮スプリングによって圧板をスリットガラスに向かって押圧するように構成されている。
【０００４】
従来のこの種の圧板を備えた画像読取装置としては、例えば、図８、９のように示される。図８、９において、１は複写機であり、この複写機１は原稿トレイ２に載置された原稿３を分離ローラ対４および搬送ローラ対５、６によってスリットガラス７に搬送するようになっている。
【０００５】
スリットガラス７の下方には密着型のイメージセンサ８が設けられており、このイメージセンサ８によって搬送される原稿の画像が読取られる。また、スリットガラス７の上方には原稿の読取時の白基準となるポリエステルフィルム９が設けられており、このポリエステルフィルム９は圧板10に取付けられている。この圧板10の両端部には摺動孔10ａが設けられており、この摺動孔10ａは読取ユニットのフレーム11に設けられた係合部11ａに摺動自在に取付けられている。
【０００６】
また、フレーム11と圧板10の間には圧縮スプリング12が介装されており、この圧縮スプリング12は圧板10をスリットガラス７に向かって付勢している。また、スリットガラス７の両端部にはスペーサ13が設けられており、圧縮スプリング12によって圧板10が付勢されたときに、ポリエステルフィルム９がスペーサ13に当接することにより、ポリエステルフィルム９とスリットガラス７が一定の隙間に維持し、原稿の搬送スペースの確保とイメージセンサ８の読取時の焦点を合わせるようになっている。
【０００７】
また、スリットガラス７に搬送される原稿の先端が読取センサ14によって読み取られたときにイメージセンサ８が作動されて原稿の読取りが行なわれるようになっており、スリットガラス７の上方で読取りが終了した原稿は排紙ローラ対15、16によって排紙トレイ17に排紙されるようになっている。
【０００８】
なお、図９において、符号18は搬送ローラ対６および排紙ローラ対15、16を駆動する駆動モータである。
【０００９】
一方、近時の画像読取装置にあっては、低価格化および軽量化を図るために装置を構成する部品の大部分がモールド樹脂から構成されるようになっており、当然のことながらスリットガラス７の周囲の画像読取ユニットを構成する部品もモールド樹脂が多用されている。例えば、図９に示す読取ユニットでは、フレーム11がモールド樹脂から構成されている。なお、図９においては読取ユニットの全体を図示していないがフレーム11は読取ユニットの大部分を占めている。
【００１０】
ところで、従来の画像読取装置は、ジャム原稿の除去を容易に行なうことができるようにするとともに、イメージセンサ８の清掃を容易に行なうことができる等するために、スリットガラス７やイメージセンサ８が設けられた装置本体に対して読取ユニットが設けられた自動原稿搬送装置を開閉自在にしている。
【００１１】
このため、圧縮スプリング12を用いて圧板10を押圧するようにして圧板10を可動式にすることにより、自動原稿搬送装置の組付け精度の影響を受けないようにしてスリットガラス７とポリエステルフィルム９の距離を一定に保つようにしているが、この圧板10はポリエステルフィルム９とスリットガラス７の間の距離を一定に保つためにポリエステルフィルム９の取付け面の平面度を高く加工することができる上に高い強度を確保することができる金属製の部材から構成されているため、原稿の読取時にポリエステルフィルム９が原稿と接触する度に接触抵抗によって読取ユニットに静電気が帯電されている。
【００１２】
この静電気は当然のことながらモールド樹脂よりも金属製の圧板10を通してリークされることが多いため、圧板を接地部に接地する必要がある。すなわち、圧板10からイメージセンサ８にリークされると、読取不良が発生してしまうことがあり、また、圧板10から読取センサ14にリークされると、読取センサ14が原稿の検知を行なうことができない等の不具合が発生してしまうため、これらセンサに近接する圧板10を接地する必要がある。
【００１３】
従来では、モールド樹脂から構成されるフレーム11に導電性樹脂を用いて圧板10に静電気が集中して帯電しないようにしたり、図10に示すように圧板10にアース線18を取付け、このアース線18を、例えば、モータ17をフレーム11に固定する金属製の取付け板19に取付けたり、フレーム11の任意の位置に取付けられた導電性部材に取付けることにより、取付け板19から接地部に接地するようにしている。
【００１４】
【発明が解決しようとする課題】
しかしながら、モールド樹脂から構成されるフレーム11に導電性樹脂を用いたものにあっては、モールド樹脂の価格自体が高いことから画像読取装置のコストがその分だけ高くなってしまうという問題があった。
【００１５】
また、圧板10にアース線18を取付けたものにあっては、別体のアース線18を用意してこのアース線18を圧板にネジや溶接等によって固定する必要があるため、部品点数の増加、コスト高および組付け作業の増加による作業性の悪化等の問題が発生してしまった。
【００１６】
そこで本発明は、簡単な構成で圧板を接地することができるようにして、部品点数が増大するのを防止してコストが高くなるのを防止することができるとともに、接地用の押圧部材の組付け作業の作業性を向上させることができる画像読取装置を提供することを目的としている。
【００１７】
【課題を解決するための手段】
第１の発明は、上記課題を解決するために、スリットガラスに搬送された原稿を前記スリットガラスの下方に固定された画像読取手段によって読み取るようにした画像読取装置であって、前記画像読取手段が原稿を読み取るときの白基準となるポリエステルフィルムが取付けられた導電性の圧板と、前記ポリエステルフィルムが前記スリットガラスと一定の隙間を維持して前記スリットガラスに対向するように、前記圧板を前記スリットガラスに向かって押圧する押圧部材とを備え、前記押圧部材の一端部が前記圧板に取付けられるとともに、他端部が非導電性のフレームに取付けられた画像読取装置において、前記押圧部材の他端部側に、所定方向に延設される延設部を設けるとともに、該延設部の延設方向先端を、前記フレームの所定箇所に設けられ、接地部に電気的に接続された導電性部材に接続することを特徴としている。
【００１８】
その場合、圧板を押圧する既存の押圧部材に延設部を設けて圧板を接地することにより、画像読取手段に静電気がリークされてしまうのを防止することができるため、接地用の部材を新たに設けるのを不要にして簡単な構成で圧板を接地することができる。このため、接地用の部材の部品点数が増大するのを防止してコストが高くなるのを防止することができるとともに、接地用の押圧部材を従来と同様に圧板に組付けることができるため、組付け作業の作業性が低下するのを防止することができる。
【００１９】
第２の発明は、上記課題を解決するために、スリットガラスに搬送された原稿を前記スリットガラスに向かって搬送する画像読取装置であって、画像読取手段が原稿を読み取るときの白基準となるポリエステルフィルムが取付けられた導電性の圧板と、前記ポリエステルフィルムが前記スリットガラスと一定の隙間を維持して前記スリットガラスに対向するように、前記圧板を前記スリットガラスに向かって押圧する押圧部材と、前記スリットガラスの原稿搬送方向上流側で、かつ前記スリットの近傍に設けられ、原稿を検知する原稿検知手段とを備え、前記押圧部材の一端部が前記圧板に取付けられるとともに、他端部が非導電性のフレームに取付けられた画像読取装置において、前記押圧部材の他端部側に、所定方向に延設される延設部を設けるとともに、該延設部の延設方向先端を、前記フレームの所定箇所に設けられ、接地部に電気的に接続された導電性部材に接続することを特徴としている。
【００２０】
その場合、圧板を押圧する既存の押圧部材に延設部を設けて圧板を接地することにより、原稿検知手段に静電気がリークされてしまうのを防止することができるため、接地用の部材を新たに設けるのを不要にして簡単な構成で圧板を接地することができる。このため、接地用の部材の部品点数が増大するのを防止してコストが高くなるのを防止することができるとともに、接地用の押圧部材を従来と同様に圧板に組付けることができるため、組付け作業の作業性が低下するのを防止することができる。
【００２１】
第３の発明は、上記課題を解決するために、前記押圧部材が圧縮スプリングからなることを特徴としている。
【００２２】
その場合、押圧部材のコストをより一層低減することができる。
【００２３】
第４の発明は、上記課題を解決するために、前記押圧部材が板バネからなることを特徴としている。
【００２４】
その場合、押圧部材のコストをより一層低減することができる。
【００２５】
第５の発明は、上記課題を解決するために、前記延設部を前記押圧部材の延在方向と略直交方向に延設させたことを特徴としている。
【００２６】
その場合、押圧部材に圧縮スプリングを使用した場合に、圧縮スプリングをフレームに取付ける際に延設部の先端を接地部に接続したときに、圧縮スプリングの捩り力を利用して延設部に確実に接続することができる。
【００２７】
このため、延設部の先端を接地部に接触させる場合には、延設部の先端が接地部から離れてしまうのを確実に防止して接地を確実に行なうことができる上に、圧縮スプリングの組付けをより簡単に行なうことができる。
【００２８】
第６の発明は、上記課題を解決するために、前記フレームに開口部を設け、前記延設部を前記開口部を通して前記接地部に延設したことを特徴としている。
【００２９】
第７の発明は、上記課題を解決するために、前記延設部を前記押圧部材の延在方向と並行に延設させるとともに、前記フレームに開口部を設け、前記延設部を前記開口部を通して前記接地部に延設したことを特徴としている。
【００３０】
請求項６または７記載の発明では、押圧部材に圧縮スプリングを使用したときに圧縮スプリングをフレームに取付ける場合には、圧縮スプリングのフレーム側端部をフレームの突起等に圧入することが一般的である。
【００３１】
この圧入時には圧縮スプリングを回転させる動作が発生するため、延設部の先端と接地部の接続位置が大きくばらついてしまう。そこで、フレームに開口部を設け、延設部をこの開口部を通して接地部に延設すれば、押圧部材の取付け時に延設部が開口部の周縁に当って位置決めされて接地部から大きく位置ずれすることがなく、押圧部材の組付け作業の作業性をより一層向上させることができる。
【００３２】
第８の発明は、上記課題を解決するために、前記接地部が前記導電性部材の上方に位置するとともに、前記延設部の先端が挿通される挿通孔を有し、前記挿通孔と前記フレームの開口部の位置を水平面内でずらしたことを特徴としている。
【００３３】
その場合、延設部をフレームの開口部を通して接地部の挿通孔に挿通したときに、挿通孔と開口部の位置が水平面内でずらされている分だけ、挿通孔に挿通された延設部の先端を撓ませて挿通孔の周縁に強く接触させることができる。このため、延設部の先端が接地部から離れてしまうのを確実に防止して接地を確実に行なうことができる。
【００３４】
第９の発明は、上記課題を解決するために、前記延設部は、先端に係合爪を有する圧縮スプリングから構成され、前記係合爪が前記導電性部材に設けられた係合部に係合されることを特徴としている。
【００３５】
その場合、延設部が先端に係合爪を有する圧縮スプリングから構成されているため、接地部の位置が不定な場合であっても、延設部を構成する圧縮スプリングを伸ばしてフリーな位置にある導電性部材に延設部の先端を接続することができ、押圧部材の組付け作業の作業性をより一層向上させることができる。
【００３６】
第10の発明は、前記導電性部材が、原稿を搬送する搬送ローラを回転自在に支持する取付け板を含んで構成され、前記延設部の先端が前記取付け板に接続されることを特徴としている。
【００３７】
第11の発明は、上記課題を解決するために、前記導電性部材が、原稿を搬送する搬送ローラを回転駆動するモータを支持する取付け板を含んで構成され、前記延設部の先端が前記取付け板に接続されることを特徴としている。
【００３８】
請求項10または11記載の発明によれば、専用の接地部を新たに設けるのを不要にして既存の導電性部材を利用して圧板を接地することができる。
【００３９】
【発明の実施の形態】
以下、本発明の実施形態を図面に基づいて説明する。
【００４０】
図１〜３は本発明に係る画像読取装置の第１実施形態を示す図である。なお、画像読取装置としては、ファクシミリ装置、複写機、プリンター装置等があるが、本実施形態は複写機に適用したものについて説明する。
【００４１】
まず、構成を説明する。図１において、複写機21の本体21ａの上面には自動原稿搬送装置（以下、ＡＤＦという）22が開閉自在に設けられており、このＡＤＦ22は原稿束Ｐを載置する原稿トレイ23を備えている。この原稿トレイ23にはサイドフェンス24が設けられており、このサイドフェンス24は原稿束Ｐの幅方向を揃えるようになっている。
【００４２】
また、原稿トレイ23の原稿搬送方向下流側にはピックアップローラ25が設けられており、このローラ25が原稿束Ｐに当接離隔するように上下動するようになっている。また、ピックアップローラ25の近傍にはフィラー26が設けられており、このフィラー26は原稿束Ｐの先端が当接したときに移動するようになっている。このフィラー26の下方には原稿検知センサ27が設けられており、このセンサ27はフィラー26が移動したときにフィラー26が検知しなくなるため、原稿トレイ23に原稿束Ｐが載置されたことを検出して図示しないコントローラに信号を出力する。
【００４３】
コントローラはこの信号が入力すると、ピックアップローラ25を原稿束Ｐから離隔した位置から原稿束Ｐに当接する位置に移動して原稿束Ｐを給紙する。
【００４４】
また、ピックアップローラ25の搬送方向下流側にはフィードローラ28およびフィードローラ29が設けられており、ピックアップローラ25によって給紙されて原稿は共に時計方向に回転する両ローラ28、29によって原稿束Ｐから最上位に位置する原稿のみが分離給紙されるようになっている。
【００４５】
この分離された原稿は駆動ローラ30ａと従動ローラ30ｂからなる搬送ローラ対30および駆動ローラ31ａと従動ローラ31ｂからなる搬送ローラ31によって本体21ａの上面に設けられたスリットガラス32に分かって搬送されるようになっており、スリットガラス32の下方に固定された密着型のイメージセンサ（画像読取手段）33によって原稿の画像が読み取られるようになっている。
【００４６】
また、スリットガラス32の原稿搬送方向下流側の近傍には原稿検知センサ（原稿検知手段）34が設けられており、このセンサ34は原稿の先端を検知してコントローラに信号を出力するようになっている。コントローラはこの信号が入力するイメージセンサ33を作動して原稿の画像の読取りを開始する。
【００４７】
一方、スリットガラス32の上方には原稿の読取時の白基準となる非導電性部材からなるポリエステルフィルム35が設けられており、このポリエステルフィルム35は金属製の圧板36に取付けられている。この圧板36の両端部には摺動孔36ａが設けられており、この摺動孔36ａは読取ユニットの非導電性部材からなるフレーム37に設けられた係合部37ａに摺動自在に取付けられている。
【００４８】
また、フレーム37と圧板36の間には圧縮スプリング（押圧部材）38が介装されており、この圧縮スプリング38は一端部が圧板36に固定されるとともに他端部がフレーム37に設けられた突起37ｂに圧力され、圧板36をスリットガラス32に向かって付勢している。
【００４９】
また、スリットガラス32の両端部にはスペーサ39が設けられており、圧縮スプリング38によって圧板36が付勢されたときに、ポリエステルフィルム35がスペーサ39に当接することにより、ポリエステルフィルム35とスリットガラス32が一定の隙間に維持し、原稿の搬送スペースの確保とイメージセンサ33の読取時の焦点を合わせるようしている。
【００５０】
そして、このポリエステルフィルム35とスリットガラス32の間に搬送された原稿がイメージセンサ33によって読取られると、この原稿は駆動ローラ43ａと従動ローラ43ｂからなる排紙ローラ対43および駆動ローラ44ａと従動ローラ44ｂからなる排紙ローラ対44によって排紙トレイ45に排紙されるようになっている。
【００５１】
また、フレーム37の側部にはモータ40が設けられており、このモータは導電性部材からなるモータブラケット40ａを介してフレーム37に取付けられた導電性の取付け板41に固定されている。このモータ40のモータ軸40ｂにはタイミングベルト42を介して排紙ローラ対30の駆動ローラ30ａおよび排紙ローラ対43、44の駆動ローラ43ａ、44ａの回転軸46、47、48に接続されており、モータ40はタイミングベルト42を介して各ローラ対30、43、44を回転駆動するようになっている。なお、回転軸46〜48は導電性部材から構成されている。
【００５２】
一方、圧縮スプリング38のフレーム37側の他端部には棒状の延設部38ａが一体的に設けられており、この延設部38ａは圧縮スプリング38の延在方向（上下方向）と略直交方向に延設されている。
【００５３】
また、この延設部38ａの先端は取付け板41に設けられた接地片41ａに接触（接続）されており、取付け板41は複写機21の接地部に電気的に接続されている。
【００５４】
このような構成を有する複写機21の読取りユニットにあっては、圧板36を押圧する圧縮スプリング38に延設部38ａを設け、この延設部38ａの先端を金属製の取付け板41に接触させているため、原稿の読取り時にポリエステルフィルム35に原稿が接触することにより発生する静電気が圧板36に帯電した場合に、圧縮スプリング38および取付け板41を介して接地部にリークすることができる。
【００５５】
このため、イメージセンサ33や原稿検知センサ34に静電気がリークされてしまうのを防止することができ、画像の読取り不良が発生するのを防止することができるとともに、原稿の先端を確実に検出することができる。
【００５６】
そして、このように圧板36に帯電した静電気を既存の圧縮スプリング38によってリークすることができるため、接地用の部材を新たに設けるのを不要にして簡単な構成で圧板を接地することができる。この結果、接地用の部材の部品点数が増大するのを防止してコストが高くなるのを防止することができるとともに、接地用の押圧部材を従来と同様に圧板に組付けることができるため、組付け作業の作業性が低下するのを防止することができる。
【００５７】
また、延設部38ａを圧縮スプリング38の延在方向と略直交方向に延設させたので、圧縮スプリング38の組付け時に延設部38ａの先端をフレーム37の突起37ａに圧入したときに圧縮スプリング38の捩り力を利用して接地片41ａに確実に接触させることができる。
【００５８】
このため、延設部38ａの先端が接地片41ａから離れてしまうのを確実に防止して接地を確実に行なうことができる上に、圧縮スプリング38の組付けをより簡単に行なうことができる。
【００５９】
また、本実施形態では、押圧部材として圧縮スプリング38を用いているため、押圧部材のコストをより一層低減することができる。なお、押圧部材としては圧縮スプリングに代えて板バネを用いても良い。
【００６０】
図４は本発明に係る画像読取装置の第２実施形態を示す図であり、第１実施形態と同様の構成には同一番号を付して説明を省略する。
【００６１】
本実施形態では、図４に示すようにフレーム37に開口部37ｃを設け、延設部38ａを開口部37ｃを通して接地片41ａに延設したことを特徴としている。
【００６２】
このようにしたのは、圧縮スプリング38を突起37ｂに圧入する際には、圧縮スプリング38を回転させる動作が発生するため、延設部38ａの先端と接地片41ａの接続位置が大きくばらついてしまい、このばらつきは延設部38ａが長いほど大きくなるためである。
【００６３】
そこで、フレーム37に開口部37ｃを設け、延設部38ａを開口部37ｃを通して接地片41ａに延設すれば、圧縮スプリング38の取付け時に延設部38ａが開口部37ｃの周縁に当って位置決めされて接地片41ａから大きく位置ずれすることがなく、圧縮スプリング38の組付け作業の作業性をより一層向上させることができる。
【００６４】
図５は本発明に係る画像読取装置の第３実施形態を示す図であり、第１実施形態と同様の構成には同一番号を付して説明を省略する。
【００６５】
本実施形態では、圧縮スプリング38の延設部38ａを圧縮スプリング38の延在方向と並行に延設させるとともに、圧縮スプリング38の上方に位置するフレーム37部分に開口部37ｄを設け、延設部38ａを開口部37ｄを通して取付け板41に設けられた接地片41ｂに延設したことを特徴としている。
【００６６】
本実施形態にあっても、第２実施形態と同様に、圧縮スプリング38の取付け時に延設部38ａが開口部37ｄの周縁に当って位置決めされて接地片41ｂから大きく位置ずれすることがなく、圧縮スプリング38の組付け作業の作業性をより一層向上させることができる。
【００６７】
図６は本発明に係る画像読取装置の第４実施形態を示す図であり、第１実施形態と同様の構成には同一番号を付して説明を省略する。
【００６８】
本実施形態では、取付け板41から接地片41ｃを圧縮スプリング38の上方まで延在させるとともに、この接地片41ｃに挿通孔50を設け、この挿通孔50と開口部37ｄの位置を水平面内でずらしたことに特徴がある。
【００６９】
本実施形態では、このように構成することにより、延設部38ａをフレーム37の開口部37ｄを通して接地片41ｂの挿通孔50に挿通したときに、挿通孔50と開口部37ｄの位置が水平面内でずらされている分だけ、挿通孔50に挿通された延設部38ａの先端を撓ませて挿通孔50の周縁に強く接触させることができる。このため、延設部38ａの先端が接地片41ｂから離れてしまうのを確実に防止して接地を確実に行なうことができる。
【００７０】
図７は本発明に係る画像読取装置の第５実施形態を示す図であり、第１実施形態と同様の構成には同一番号を付して説明を省略する。
【００７１】
本実施形態では、延設部を、先端に係合爪51ａ有する圧縮スプリング51から構成するとともに、取付け板41に係合爪51ａが係合される係合突起（係合部）41ｄを設けたことを特徴としている。
【００７２】
このように構成することにより、接地部の位置が不定な場合であっても、延設部を構成する圧縮スプリング51を伸ばして係合突起41ｄに係合爪51ａを引っ掛けて接続することができ、圧縮スプリング38の組付け作業の作業性をより一層向上させることができる。また、係合突起41ｄが他の場所に設置されていたも、圧縮スプリング50を伸ばして係合突起41ｄに係合爪51ａを引っ掛けて接続することができる。圧縮スプリング38の組付けを簡単に行なうことができる。
【００７３】
なお、上記各実施形態にあっては、延設部38ａを取付け板41に接続しているため、専用の接地部を新たに設けるのを不要にすることができる。
【００７４】
また、取付け板41に、排紙ローラ対30の駆動ローラ30ａおよび排紙ローラ対43、44の駆動ローラ43ａ、44ａを支持する導電性の回転軸46、47、48を回転自在に支持しても良い。このようにすれば、回転軸46〜48も取付け板41を介して設置することができるとともに、回転軸46〜48を支持する部材を新たに設けるのも不要にできる。
【００７５】
【発明の効果】
本発明によれば、圧板を押圧する既存の押圧部材に延設部を設けて圧板を接地することにより、画像読取手段や原稿読取りセンサに静電気がリークされてしまうのを防止することができるため、接地用の部材を新たに設けるのを不要にして簡単な構成で圧板を接地することができる。このため、接地用の部材の部品点数が増大するのを防止してコストが高くなるのを防止することができるとともに、接地用の押圧部材を従来と同様に圧板に組付けることができるため、組付け作業の作業性が低下するのを防止することができる。
【００７６】
また、押圧部材を圧縮スプリングまたは板バネから構成しているので、押圧部材のコストをより一層低減することができる。
【００７７】
また、延設部を押圧部材の延在方向と略直交方向に延設させたので、押圧部材に圧縮スプリングを使用した場合に、圧縮スプリングをフレームに取付ける際に延設部の先端を接地部に接続したときに、圧縮スプリングの捩り力を利用して延設部に確実に接続することができる。このため、延設部の先端を接地部に接触させる場合には、延設部の先端が接地部から離れてしまうのを確実に防止して接地を確実に行なうことができる上に、圧縮スプリングの組付けをより簡単に行なうことができる。
【００７８】
また、フレームに開口部を設け、延設部を開口部を通して接地部に延設したので、押圧部材の取付け時に延設部を開口部の周縁に当接させて位置決めすることができ、接地部から大きく位置ずれするのを防止して、押圧部材の組付け作業の作業性をより一層向上させることができる。
【００７９】
また、延設部を押圧部材の延在方向と並行に延設させるとともに、フレームに開口部を設け、延設部を開口部を通して接地部に延設したので、押圧部材の取付け時に延設部を開口部の周縁に当接させて位置決めすることができ、接地部から大きく位置ずれするのを防止して、押圧部材の組付け作業の作業性をより一層向上させることができる。
【００８０】
また、接地部を導電性部材の上方に位置させるとともに、延設部の先端を挿通される挿通孔を設け、挿通孔とフレームの開口部の位置を水平面内でずらしたので、延設部をフレームの開口部を通して接地部の挿通孔に挿通したときに、挿通孔と開口部の位置が水平面内でずらされている分だけ、挿通孔に挿通された延設部の先端を撓ませて挿通孔の周縁に強く接触させることができる。このため、延設部の先端が接地部から離れてしまうのを確実に防止して接地を確実に行なうことができる。
【００８１】
また、延設部を、先端に係合爪を有する圧縮スプリングから構成し、係合爪を導電性部材に設けられた係合部に係合したので、接地部の位置が不定な場合であっても、延設部を構成する圧縮スプリングを伸ばしてフリーな位置にある導電性部材に延設部の先端を接続することができ、押圧部材の組付け作業の作業性をより一層向上させることができる。
【００８２】
また、原稿を搬送する搬送ローラを回転自在に支持する取付け板を含んで導電性部材を構成し、延設部の先端を取付け板に接続するようにしたので、専用の接地部を新たに設けるのを不要にして既存の導電性部材を利用して圧板を接地することができる。
【００８３】
さらに、原稿を搬送する搬送ローラを回転駆動するモータを支持する取付け板を含んで導電性部材を構成し、延設部の先端を取付け板に接続したので、専用の接地部を新たに設けるのを不要にして既存の導電性部材を利用して圧板を接地することができる。
【図面の簡単な説明】
【図１】本発明に係る画像読取装置の第１実施形態を示す図であり、その画像読取装置としての複写機の概略構成図である。
【図２】第１実施形態の読取ユニットの搬送系の構成図である。
【図３】（ａ）は第１実施形態の読取ユニットの要部断面図であり、（ｂ）は圧縮スプリングの構成図である。
【図４】本発明に係る画像読取装置の第２実施形態を示す図であり、その画像読取装置としての複写機の概略構成図である。
【図５】本発明に係る画像読取装置の第３実施形態を示す図であり、その画像読取装置としての複写機の概略構成図である。
【図６】本発明に係る画像読取装置の第４実施形態を示す図であり、その画像読取装置としての複写機の概略構成図である。
【図７】本発明に係る画像読取装置の第５施形態を示す図であり、その画像読取装置としての複写機の概略構成図である。
【図８】複写機の概略構成図である。
【図９】従来の読取ユニットの要部断面図である。
【図１０】従来の接地機構を示す図である。
【符号の説明】
21    複写機（画像読取装置）
32    スリットガラス
33    イメージセンサ（画像読取手段）
34    原稿検知センサ（原稿検知手段）
35    ポリエステルフィルム
36    圧板
37    フレーム
38    圧縮スプリング（押圧部材）
38ａ    延設部
41    取付け板
41ａ、41ｂ、41ｃ    接地片
41ｄ    係合突起
46、47、48    回転軸
50    貫通孔
51    圧縮スプリング
51ａ    係止爪
【図１】
0003816335.tif 000002
【図２】
0003816335.tif 000003
【図３】
0003816335.tif 000004
【図４】
0003816335.tif 000005
【図５】
0003816335.tif 000006
【図６】
0003816335.tif 000007
【図７】
0003816335.tif 000008
【図８】
0003816335.tif 000009
【図９】
0003816335.tif 000010
【図１０】
0003816335.tif 000011